(57)【要約】【課題】  枚葉シートから親書或いは広告宣伝等の伝達物の送付に使用する封筒及びその製造方法を提供する。【解決手段】  少なくとも表面がフィルムシートＦで被覆された第一葉片１及び第二葉片２が折り線３から二つ折りに折り畳まれると共に２か所の開封縁辺が剥離不能に接着された封筒において、前記２か所の開封縁辺の接着が前記開封縁辺の外方へはみ出したフィルムシートＦ同士の接着により形成された封筒により解決される。【選択図】図１
2016137694.tif 000002
【特許請求の範囲】
【請求項１】
少なくとも表面がフィルムシートで被覆された第一葉片及び第二葉片が折り線から二つ折りに折り畳まれると共に２か所の開封縁辺が剥離不能に接着された封筒において、前記２か所の開封縁辺の接着が前記開封縁辺の外方へはみ出したフィルムシート同士の接着により形成されていることを特徴とした封筒。
【請求項２】
第一葉片に窓部が打ち抜かれると共に前記窓部の裏面側にもフィルムシートが被覆されていることを特徴とした請求項１に記載の封筒。
【請求項３】
少なくとも表面がフィルムシートで被覆された第一葉片及び第二葉片が折り線から二つ折りに折り畳まれると共に２か所の開封縁辺が剥離不能に接着された封筒の製造方法において、前記２か所の開封縁辺の接着が前記開封縁辺の外方へはみ出したフィルムシート同士の接着により形成されている封筒の製造方法であり、第一葉片及び第二葉片が折り線で横方向に連接された封筒シートを順次等間隔で繰り出す繰り出し工程、繰り出された封筒シートの第一葉片及び第二葉片の外側縁辺の外方にはみ出しながらフィルムシートを被覆する被覆工程、フィルムシートが被覆された封筒シートを連続的に二つ折り状態に折り畳む折り畳み工程、折り畳まれた封筒シートを単位封筒シート毎に断裁する断裁工程、断裁された単位封筒シートの前記第一葉片及び第二葉片の外側縁辺の外方にはみ出したフィルムシート同士を剥離不能に接着する封筒形成工程とから成ることを特徴とした封筒の製造方法。
【請求項４】
少なくとも表面がフィルムシートで被覆された第一葉片及び第二葉片が折り線から二つ折りに折り畳まれると共に２か所の開封縁辺が剥離不能に接着された封筒の製造方法において、前記２か所の開封縁辺の接着が前記開封縁辺の外方へはみ出したフィルムシート同士の接着により形成されている封筒の製造方法であり、窓部が打ち抜かれた第一葉片及び第二葉片が折り線で横方向に連接された封筒シートを順次等間隔で繰り出す繰り出し工程、繰り出された封筒シートの第一葉片の裏面側の窓部と第一葉片及び第二葉片表面側において前記両葉片の外側縁辺の外方にはみ出しながらフィルムシートを被覆する被覆工程、フィルムシートが被覆された封筒シートを連続的に二つ折り状態に折り畳む折り畳み工程、折り畳まれた封筒シートを単位封筒シート毎に断裁する断裁工程、断裁された単位封筒シートの前記第一葉片及び第二葉片の外側縁辺の外方にはみ出したフィルムシート同士を剥離不能に接着する封筒形成工程とから成ることを特徴とした封筒の製造方法。
【発明の詳細な説明】
【技術分野】
【０００１】  本発明はパンフレットや親書等を封入し、郵送或いは配送するための封筒及びその製造方法に関する。さらに詳しくは、特に水濡れや破損に強い封筒及びその製造方法に関する。
【背景技術】
【０００２】  従来、封筒に封入された内容物を水濡れ等から守るために、例えば特開平９−５４３９２号公報に開示される郵送用封筒がある。このものは例えばポリエチレン材料層３、ＣＰＰ材料層４の２層の合成樹脂材料層と、紙材料層５が外面側に配置された状態で、略半分に折返され、かつ重ね合わされた封筒素材２の重ね合わせ部６における両側の端縁部７間を熱溶着して接合し、略袋状の封筒本体８を形成することによって封筒素材８の強度を高め、破損しにくくするとともに、防水性を高めるようにしたものである。
【先行技術文献】
【０００３】
【特許文献】
【特許文献】  特開平９−５４３９２号公報
【発明の概要】
【発明が解決しようとする課題】
【０００４】  前記特許文献の封筒は、製造するに当たり大がかりなラミネート装置を必要とする。その際コストの関係上一度に大量なロットを製造する必要がある。従って銘柄や紙質、斤量等多くの種類の用紙を使用して機能的、外観的にバラエティーに富んだ多種類の封筒をそれぞれ少ないロットで製造していては全く採算が合わず、結局使用する用紙種類の選択範囲は狭くなる。即ち多くの銘柄や紙質、斤量の中から一種類を選択して大量に製造することでようやく採算が合い実用に供することが可能になるのである。【０００５】  また、前記封筒素材２を使用して封筒を形成するに当たり、折り返された封筒素材２の両側の縁辺部をスポット的に熱溶着する等、封筒素材２の切り出しや折り返し作業或いは部分熱溶着作業等に多大な時間と手間が掛かる。【０００６】  本発明は上記問題に鑑み、フィルムラミネートが施された用紙を使用して、雨等による水濡れ及び破損に強い封筒を、連続的流れ作業により効率的に製造することができる封筒及びその製造方法を提供するものである。
【課題を解決するための手段】
【０００７】  上記課題を解決するために、本発明の封筒は、少なくとも表面がフィルムシートで被覆された第一葉片及び第二葉片が折り線から二つ折りに折り畳まれると共に２か所の開封縁辺が剥離不能に接着された封筒において、前記２か所の開封縁辺の接着が前記開封縁辺の外方へはみ出したフィルムシート同士の接着により形成されていることを特徴としている。【０００８】  また、前記封筒を構成する何れかの葉片に窓部を設けても構わない。その場合前記窓部を封筒の内面側からフィルムシートにより被覆しても構わない。【０００９】  さらに上記課題を解決するために、本発明の封筒の製造方法は、少なくとも表面がフィルムシートで被覆された第一葉片及び第二葉片が折り線から二つ折りに折り畳まれると共に２か所の開封縁辺が剥離不能に接着された封筒の製造方法において、前記２か所の開封縁辺の接着が前記開封縁辺の外方へはみ出したフィルムシート同士の接着により形成されている封筒の製造方法であり、第一葉片及び第二葉片が折り線で横方向に連接された封筒シートを順次等間隔で繰り出す繰り出し工程、繰り出された封筒シートの第一葉片及び第二葉片の外側縁辺の外方にはみ出しながらフィルムシートを被覆する被覆工程、フィルムシートが被覆された封筒シートを連続的に二つ折り状態に折り畳む折り畳み工程、折り畳まれた封筒シートを単位封筒シート毎に断裁する断裁工程、断裁された単位封筒シートの前記第一葉片及び第二葉片の外側縁辺の外方にはみ出したフィルムシート同士を剥離不能に接着する封筒形成工程とから成ることを特徴としている。【００１０】  さらにまた、上記課題を解決するために、本発明の封筒の製造方法は、少なくとも表面がフィルムシートで被覆された第一葉片及び第二葉片が折り線から二つ折りに折り畳まれると共に２か所の開封縁辺が剥離不能に接着された封筒の製造方法において、前記２か所の開封縁辺の接着が前記開封縁辺の外方へはみ出したフィルムシート同士の接着により形成されている封筒の製造方法であり、窓部が打ち抜かれた第一葉片及び第二葉片が折り線で横方向に連接された封筒シートを順次等間隔で繰り出す繰り出し工程、繰り出された封筒シートの第一葉片の裏面側の窓部と第一葉片及び第二葉片表面側において前記両葉片の外側縁辺の外方にはみ出しながらフィルムシートを被覆する被覆工程、フィルムシートが被覆された封筒シートを連続的に二つ折り状態に折り畳む折り畳み工程、折り畳まれた封筒シートを単位封筒シート毎に断裁する断裁工程、断裁された単位封筒シートの前記第一葉片及び第二葉片の外側縁辺の外方にはみ出したフィルムシート同士を剥離不能に接着する封筒形成工程とから成ることを特徴としている。【００１１】  本発明に封筒に使用される用紙は、例えば各種銘柄の上質紙、マット紙、コート紙等の通常の用紙を始め、各種樹脂からなるフィルムシート、合成紙、不織布等を使用することができる。また用紙等の斤量にも格別な制限はなく、用紙においては例えば四六伴換算で７０ｋｇ〜１８０ｋｇの範囲のものを好適に使用することができる。【００１２】  本発明に使用される前記フィルムシートは、透明或いは半透明の公知のプリントラミネート用のものから適宜選択すればよい。基材の一方の面に感熱接着剤層が予め形成されているサーマルラミネート法に対応したプリントラミネート用のフィルムシート（艶出し、つや消し、ホログラム等）を好適に使用することができる。【００１３】  なお、封筒の折り線に形成される折り手段は、封筒の加工工程の最上流に載置する段階の展開状態の時に予め施されていてもよいが、繰り出し工程と同時或いは被覆工程の前後で行われても構わない。また、折り手段の具体的な例としては、ミシン（折りミシン、切取りミシンやマイクロミシン等）や折り筋等の公知の手段が好適に使用することができる。【００１４】  封筒シートに印刷された展開状態の封筒の折り線（必ずしも記載される必要はない）に形成される折り手段は、例えば折りミシン、切取ミシン、マイクロミシンや折り筋等が好適に使用される。前記折りミシンのカットとアンカットの比率に格別な制限はないが、後の工程で各種フィルムシートが被覆される場合は、前記各種フィルムシートにより補強されるので、カット比率が大きくて比較的折り易いものが至便である。なお折りミシンの形状にも制限はなく、通常の直線状の破線以外に複数の微細な孔や複数の曲線状の切れ込み、複数の屈曲した直線や曲線の組み合わせ等でも構わない。また折り筋の幅や深さにも格別な制限はない。要はフィルムが被覆されても容易に折り畳みできるような折り手段であれば構わない。さらに他の公知の折り手段を採用しても構わない。【００１５】  本発明の断裁工程では、ダイカットロールとバックアップロールの組み合わせからなる横断裁刃を使用した断裁手段を好適に使用することができる。またダイカットロールをマグネット仕様（例えばフレキシブルピナクルダイ：株式会社塚谷刃物製作所製）にして様々な形状の打ち抜き刃を使用した断裁手段を採用しても構わない。その場合封筒の外形に変化を付けることが可能になり美的感覚が向上する。
【発明の効果】
【００１６】  本発明の封筒は外側面がフィルムシートによりラミネートされているため防水効果が非常に高く、また破損にも強い。またその製造方法によれば、仮に少部数であっても用紙の種類や斤量等各種条件の異なる封筒を連続的流れ作業により極めて効率的に製造することができる。
【図面の簡単な説明】
【００１７】
【図１】（Ａ）は本発明の封筒Ｊ１の表面図、（Ｂ）は（Ａ）におけるＩ−Ｉ線断面図、（Ｃ）は（Ａ）におけるＩＩ−ＩＩ線断面図である。
【図２】（Ａ）は本発明の封筒Ｊ２の表面図、（Ｂ）は（Ａ）におけるＩＩＩ−ＩＩＩ線断面図、（Ｃ）は（Ａ）におけるＩＶ−ＩＶ線断面図である。
【図３】本発明の封筒Ｊ１の製造に使用する封筒シートＳ１の表面図である。
【図４】本発明の封筒の製造工程を示す要部概略図である。
【図５】繰り出し工程から繰り出された封筒シートＳ１の搬送状態を示す平面図である。
【図６】（Ａ）は被覆工程でフィルムシートが封筒シートＳ１に連続的に被覆された様子を示す平面図（Ｂ）は（Ａ）及び図４におけるＶ−Ｖ線断面図である。
【図７】（Ａ）は折り畳み工程で二つ折りされた封筒シートＳ１の表面図、（Ｂ）は（Ａ）及び図４におけるＶＩ−ＶＩ線断面図である。
【図８】本発明の封筒Ｊ２の製造に使用する封筒シートＳ２の表面図である。
【図９】（Ａ）は被覆工程でフィルムシートが封筒シートＳ２に連続的に被覆される様子を示す平面図（Ｂ）は（Ａ）におけるＶＩＩ−ＶＩＩ線断面図である。
【発明を実施するための形態】
【００１８】  以下、本発明を図面と共に分かりやすく説明する。
［実施例１：封筒Ｊ１］
図１に示すように、本実施例の封筒Ｊ１は例えば折り線３（折りミシンが形成されている）から第一葉片１及び第二葉片２が二つ折りに折り畳まれている。前記両葉片はフィルムシートＦにより外側面が被覆されているが、折り線３側と逆側の縁辺及び折り線４（折りミシンが形成されている）側と逆側の縁辺では前記被覆されているフィルムシートが葉片の縁辺からはみ出しており、図１（Ｂ）及び（Ｃ）に示すように前記はみ出したフィルムシートＦ同士の接着により解放されている２辺が剥離不能に封緘されている。また、封筒Ｊ１の表面に当たる第一葉片１表面には例えば郵便切手欄や郵便番号欄、更に表示はされていないが受取人の住所氏名やその他の各種情報が記載されている。
【００１９】  この封筒Ｊ１は、接着されていない折りミシン４側の開口部から、例えばパンフレットや親書或いは広告宣伝等の伝達物を封入し、折りミシン４からフラップ部分を折り返し接着テープ等により封緘して使用するものである。
【００２０】  フィルムシートの構成は、例えば二軸延伸ポリプロピレンからなら基材の一方の面に、公知の感熱接着剤層を形成した公知のプリントラミネート用のフィルムシートが使用できる。なお、前記プリントラミネート用のフィルムシートは、使用目的によりつや消し、艶出し、ホログラム等の公知の各種フィルムシートが用意されているが何れを使用しても構わない。そして両葉片からはみ出した部分のフィルムシートは対向するお互いの感熱接着剤層により剥離不能に接着される。
【００２１】［実施例２：封筒Ｊ２］
本実施例の封筒Ｊ２の構成と前記封筒Ｊ１との相違は図２に示すように、封筒Ｊ２の第一葉片１に例えば封入物に記載された受取人の住所・氏名等が視認できる窓部５が形成されている点にある。なお前記窓部５は、図２（Ｂ）及び（Ｃ）に示すように、表裏面にフィルムシートＦが被覆されているが、前記フィルムシートＦは透明或いは半透明なため内部の情報（受取人の住所・氏名等）を確認することが容易にできる。
【００２２】  この封筒Ｊ２も前記封筒Ｊ１と同様に、接着されていない折りミシン４側の開口部から、例えばパンフレットや親書或いは広告宣伝等の伝達物に印字されている受取人の住所氏名等が前記窓部５から視認できるよう封入し、折りミシン４からフラップ部分を折り返し接着テープ等により封緘して使用するものである。
【００２３】［実施例３：封筒シートＳ１を使用した封筒Ｊ１の製造方法］
図３に示すように、本実施例の封筒Ｊ１の製造方法で使用する封筒シートＳ１は、第一葉片１及び第二葉片２が折り線３（折りミシンが形成されている）を介して横方向に連接されており、封入物を封入後にフラップ部分を折り返すための折りミシン４が形成されている。また、切り取り予定線６の上方には、後述する製造工程でセンサの読み取りに使用するための帯状のマークＭが記載されている。
【００２４】  そして第一葉片１表面には郵便切手欄、郵便番号欄或いは図示されていないが広告宣伝或いは受取人の住所氏名等の各種情報が記載されていても構わない。同様に第二葉片２表面にも図示されていないが各種情報が記載されていても構わない。なお第一葉片１及び第二葉片２裏面は、最終的に封筒Ｊ１の内面側になるため情報が表示されることは特殊な場合を除いてない。
【００２５】  既述の通り構成された封筒シートＳ１は、例えば図４に示す加工工程の最上流の用紙載せ台１１に積載され、最上面の封筒シートＳ１から例えば吸着パッド１２等からなる用紙繰り出し装置により、図５に示すように順次等間隔で右側の搬送テーブル上へ繰り出される。そして一対のニップローラ１３ａ、１３ｂにより右側に配置されている一対のヒートローラ１４ａ、１４ｂからなるラミネート装置へと牽引される。
【００２６】  なお、前記折り線３に折りミシンや折り筋等の各種折り手段が予め形成されていない場合、或いはフラップ部分を折り返すための折りミシン４が形成されていない場合、例えば一対のニップローラ１３ａ、１３ｂとラミネート装置の間に、公知のミシン入れや筋入れ等の各種折り手段を形成する装置を増設して折り手段を形成しながら、右側に配置されたラミネート装置へ送り込むようにしても構わない。
【００２７】  前記ラミネート装置では上方に待機するロールから繰り出されるフィルムシートＦが繰り出され、ヒートローラ１４ａ、１４ｂで図６（Ａ）及び（Ｂ）に示すように封筒シートＳ１の被覆予定面に整合されると共に加熱・加圧処理が施され、前記フィルムシートＦに設けられている感熱接着剤層により前記被覆予定面に剥離不能に接着される。その際前後して送り出された各封筒シートＳ１は前記フィルムシートＦにより連続状態となっている。
【００２８】  なおフィルムシートＦは第一葉片１及び第二葉片２の両葉片外側縁辺から外方へ約３〜５ｍｍ前後はみ出す幅に設定されているため、前記はみ出したフィルムの感熱接着剤層がヒートローラ１４ａ、１４ｂ間において加熱により接着性を示すのであるが、前記ヒートローラ１４ａ、１４ｂの表面はフッ素処理が施されているためフィルムシートＦが接着して巻き込まれることはない。
【００２９】  そしてフィルムシートＦが被覆された封筒シートＳ１は、次に右側の折り畳み装置へと一対のニップローラ１５ａ、１５ｂにより送り出される。前記折り畳み装置では折り線３から第一葉片１と第二葉片２の裏面同士が対向するように折り畳まれ、図７（Ａ）及（Ｂ）に示す状態に仕上げられる。
【００３０】  既述の通り折り畳まれた封筒シートＳ１は、サポートローラ１７でほぼ水平に向きを変えると、右側に配置されている一対のニップローラ１８ａ、１８ｂによりさらに右側に配置されている断裁刃２０ａ及び固定刃２０ｂからなる断裁装置へと送り出される。
【００３１】  前記断裁装置では、その上流側に配置されているセンサ１９が、図７（Ａ）において図中矢印方向に通過する枚葉シートＳ１に表示されているマークＭを上方から読み取ると、切取り予定線６までの距離をカウントして前記切取り予定線６を断裁する。引き続き電気的なカウントは継続され、次に切取り予定線７を断裁して一つ目の単位封筒シートｔ１を切り出す。
【００３２】  センサ１９の読み取りによる断裁動作は続いて通過する後続の封筒シートＳ１においても繰り返し行われ、図７の断面の単位封筒シートｔ１が連続的に切り出されるのである。そして前記単位封筒シートｔ１は次に右側に配置されている封筒形成装置へ送り出されるのである。なおこの時点において各葉片の外側縁辺からはみ出したフィルムシートＦは未接着状態である。
【００３３】  前記封筒形成装置は一対の搬送ローラ２１ａ、２１ｂと一対のヒータパネル２２ａ、２２ｂが交互に配置されており、前記ヒータパネル間を通過する単位封筒シートｔ１は加熱されると共に出口に配置された一対の加圧ローラ２３ａ、２３ｂにより加圧される。そして前記加熱・加圧処理により、第一葉片１及び第二葉片２の外側縁辺の外方へはみ出した部分のフィルムシートＦ同士がお互いの感熱接着剤層により剥離不能に接着した封筒Ｊ１は、前記一対の加圧ローラ２３ａ、２３ｂから排出され、ベルトコンベア等から成るスタッカ２４に積載されるのである。
【００３４】［実施例４：封筒シートＳ２を使用した封筒Ｊ２の製造方法］
図８に示すように、本実施例の封筒Ｊ２の製造方法で使用する封筒シートＳ２は、第一葉片１及び第二葉片２が折り線３（折りミシンが形成されている）を介して横方向に連接されており、封入物を封入後にフラップ部分を折り返すための折りミシン４が形成されている点、また切り取り予定線６の上方には、後述する製造工程でセンサの読み取りに使用するための帯状のマークＭが記載されている点において同様であるが、第一葉片１に窓部５が打ち抜かれている点で異なる。
【００３５】  そして第一葉片１表面には図示されていないが広告宣伝等の各種情報が記載されていても構わない。同様に第二葉片２表面にも図示されていないが各種情報が記載されていても構わない。なお第一葉片１及び第二葉片２裏面は、最終的に封筒Ｊ２の内面側になるため情報が表示されることは特殊な場合を除いてない。
【００３６】  既述の通り構成された封筒シートＳ２は、例えば図４に示す加工工程の最上流の用紙載せ台１１に積載され、最上面の封筒シートＳ２から例えば吸着パッド１２等からなる用紙繰り出し装置により、図５に示すように順次等間隔で右側の搬送テーブル上へ繰り出される。そして一対のニップローラ１３ａ、１３ｂにより右側に配置されている一対のヒートローラ１４ａ、１４ｂからなるラミネート装置へと牽引される。
【００３７】  前記ラミネート装置では上方及び下方（破線で表現）に待機するロールから繰り出されるフィルムシートＦが繰り出され、ヒートローラ１４ａ、１４ｂで図９（Ａ）及び（Ｂ）に示すように封筒シートＳ２の被覆予定面に整合されると共に加熱・加圧処理が施され、前記フィルムシートＦに設けられている感熱接着剤層により前記被覆予定面に剥離不能に接着される。その際前後して送り出された各封筒シートＳ２は前記各フィルムシートＦにより連続状態となっている。
【００３８】  なおフィルムシートＦは第一葉片１及び第二葉片２の両葉片外側縁辺から外方へ約３〜５ｍｍ前後はみ出す幅に設定されているため、前記はみ出したフィルムの感熱接着剤層がヒートローラ１４ａ、１４ｂ間において加熱により接着性を示すのであるが、記述の通り前記ヒートローラ１４ａ、１４ｂに巻き込まれることはない。また窓部５では、第一葉片１の両面からフィルムシートＦが被覆されているため接着性は封印されている。
【００３９】  そしてフィルムシートＦが被覆された封筒シートＳ２は、次に右側の折り畳み装置へと一対のニップローラ１５ａ、１５ｂにより送り出されるのであるが、それ以後の工程は前記実施例３と同一のため省略する。
【符号の説明】
【００４０】Ｊ１、Ｊ２  封筒
Ｓ１、Ｓ２  封筒シート
ｔ１、ｔ２  単位封筒シート
Ｆ  フィルムシート
Ｍ  マーク
１、２  葉片
３  折り線
４  折りミシン
５  窓部
６、７  切取り予定線
１１  用紙載せ台
１２  吸着パッド
１３ａ、１３ｂ、１５ａ、１５ｂ、１８ａ、１８ｂ  ニップローラ
１４ａ、１４ｂ  ヒートローラ
１６、１７  サポートローラ
１９  センサ
２０ａ  断裁刃
２０ｂ  固定刃
２１ａ、２１ｂ  搬送ローラ
２２ａ、２２ｂ  ヒータパネル
２３ａ、２３ｂ  加圧ローラ
２４  スタッカ
【図１】
2016137694.tif 000003
【図２】
2016137694.tif 000004
【図３】
2016137694.tif 000005
【図４】
2016137694.tif 000006
【図５】
2016137694.tif 000007
【図６】
2016137694.tif 000008
【図７】
2016137694.tif 000009
【図８】
2016137694.tif 000010
【図９】
2016137694.tif 000011